(57)【要約】【課題】画像調整の知識を特に有さないユーザでも容易に色調調整が可能な画像調整装置を提供すること。【解決手段】色相を角度方向に対応させ、各色相の彩度を径方向の距離に対応させた２次元座標上で、彩度を調整する色相と調整する彩度をそれぞれ設定する第１の画像調整画面を生成する第１の表示制御部と、フィルタ色を角度方向に対応させ、記フィルタ濃度を径方向の距離に対応させた２次元座標上で、前記フィルタ色とフィルタ濃度をそれぞれ設定する第２の画像調整画面を生成する第２の表示制御部と、色相を角度方向に対応させ、彩度を径方向の距離に対応させた２次元座標上で、色相と彩度を設定する第３の画像調整画面を生成する第３の表示制御部と、を備える。【選択図】図３
2017092514.tif 000002
【特許請求の範囲】
【請求項１】
画像の色調整を指示する画像調整装置において、
画像の中で指定された色相の彩度を調整する画像調整画面であって、色相を角度方向に対応させ、各色相の彩度を径方向の距離に対応させた２次元座標上で、調整される色相と彩度をそれぞれ設定する第１の画像調整画面を生成する第１の表示制御部と、
カラー画像をモノクロ画像に変換するモノクロ係数を、設定されたフィルタ色とフィルタ濃度に応じて調整する画像調整画面であって、前記フィルタ色を角度方向に対応させ、前記フィルタ濃度を径方向の距離に対応させた２次元座標上で、前記フィルタ色とフィルタ濃度をそれぞれ設定する第２の画像調整画面を生成する第２の表示制御部と、
画像のカラーバランスを強調補正する色相と、前記カラーバランスが強調補正される画像全体の彩度をそれぞれ設定して、画像全体の色調整を指示する画像調整画面であって、前記色相を角度方向に対応させ、前記彩度を径方向の距離に対応させた２次元座標上で、前記色相と彩度を設定する第３の画像調整画面を生成する第３の表示制御部と、を備える、
ことを特徴とする画像調整装置。
【請求項２】
前記第１の表示制御部は、前記第１の画像調整画面に、彩度の設定位置を示すマークの列から構成され、回転移動して前記色相を指定するコントロールバーを表示させる
ことを特徴とする請求項１に記載の画像調整装置。
【請求項３】
前記第１の表示制御部は、前記第１の画像調整画面に、前記色相の彩度の相対関係を示す多角形を表示させる
ことを特徴とする請求項１に記載の画像調整装置。
【請求項４】
前記第２の表示制御部は、前記第２の画像調整画面に、回転移動して角度方向で前記フィルタ色を設定するコントロールバーと、径のサイズで前記フィルタ濃度を示すリングを表示させる
ことを特徴とする請求項１に記載の画像調整装置。
【請求項５】
前記第３の表示制御部は、前記第３の画像調整画面に、角度方向で色相を示し、かつ径方向の距離で彩度を示すカーソルを表示させる
ことを特徴とする請求項１に記載の画像調整装置。
【請求項６】
画像の色調整を指示する画像調整方法において、
画像の中で指定された色相の彩度を調整する画像調整画面であって、色相を角度方向に対応させ、各色相の彩度を径方向の距離に対応させた２次元座標上で、調整される色相と彩度をそれぞれ設定する第１の画像調整画面を生成する第１の表示工程と、
カラー画像をモノクロ画像に変換するモノクロ係数を、設定されたフィルタ色とフィルタ濃度に応じて調整する画像調整画面であって、前記フィルタ色を角度方向に対応させ、前記フィルタ濃度を径方向の距離に対応させた２次元座標上で、前記フィルタ色とフィルタ濃度をそれぞれ設定する第２の画像調整画面を生成する第２の表示工程と、
画像のカラーバランスを強調補正する色相と、前記カラーバランスが強調補正される画像全体の彩度をそれぞれ設定して、画像全体の色調整を指示する画像調整画面であって、前記色相を角度方向に対応させ、前記彩度を径方向の距離に対応させた２次元座標上で、前記色相と彩度を設定する第３の画像調整画面を生成する第３の表示工程と、を備える、
ことを特徴とする画像調整方法。
【発明の詳細な説明】
【技術分野】
【０００１】
本発明は、画像調整用画面を表示する画像調整装置に関する。
【背景技術】
【０００２】
画像調整は、撮影後にパソコン等で画像調整用のソフトウェアを利用して行われるのが一般的である。しかし、撮影時にユーザの指向や好みに合わせた画質で記録することができれば、専用の画像処理ソフトの購入が不要になるだけでなく、撮影後に画像調整を行う手間も省くことができる。そのため、撮影装置用の画像調整機能に関する開発も盛んに行われている。例えば、２つの画質パラメータの調整を簡単に行うことのできる撮像装置が提案されている（特許文献１）。
【先行技術文献】
【特許文献】
【０００３】
【特許文献１】特開２０１４−１２７７２２号公報
【発明の概要】
【発明が解決しようとする課題】
【０００４】
従来パソコンベースで行われる画像調整ソフトは、ユーザが画像調整の知識をある程度有することを前提としているので、画像調整に関する知識を持たないユーザが、好みの色合いを表現するのは簡単なことではなかった。カメラ等の携帯機器に組み込まれる画像調整機能には、画像調整の知識を特に持たないユーザでも直観的な設定ができるような操作画面が必要である。
本願発明は、上記課題に鑑み、画像調整の知識を特に有さないユーザでも容易に色調調整が可能な画像調整装置を提供することを目的とする。
【課題を解決するための手段】
【０００５】
上記目的を達成するために、画像の色調整を指示する画像調整装置において、画像の中で指定された色相の彩度を調整する画像調整画面であって、色相を角度方向に対応させ、各色相の彩度を径方向の距離に対応させた２次元座標上で、調整される色相と彩度をそれぞれ設定する第１の画像調整画面を生成する第１の表示制御部と、カラー画像をモノクロ画像に変換するモノクロ係数を、設定されたフィルタ色とフィルタ濃度に応じて調整する画像調整画面であって、前記フィルタ色を角度方向に対応させ、前記フィルタ濃度を径方向の距離に対応させた２次元座標上で、前記フィルタ色とフィルタ濃度をそれぞれ設定する第２の画像調整画面を生成する第２の表示制御部と画像のカラーバランスを強調補正する色相と、前記カラーバランスが強調補正される画像全体の彩度をそれぞれ設定して、画像全体の色調整を指示する画像調整画面であって、前記色相を角度方向に対応させ、前記彩度を径方向の距離に対応させた２次元座標上で、前記色相と彩度を設定する第３の画像調整画面を生成する第３の表示制御部と、を備える。
【発明の効果】
【０００６】
本発明によれば、画像調整の知識を特に有さないユーザでも容易に色調調整が可能な画像調整装置を提供することができる。
【図面の簡単な説明】
【０００７】
【図１】本実施形態にかかる撮像装置１の外観図である。
【図２】撮像装置１の全体ブロック図である。
【図３】図２の全体ブロック図の一部のブロック図である。
【図４】マルチカラーモードで、ライブビュー画像に重畳して表示される画像調整画面の例である。
【図５】マルチカラーモードのカラーマップを説明する図である。
【図６】マルチカラーモードにおける、彩度設定操作を示す画像調整画面である。
【図７】マルチカラーモードにおける、指定された色相で彩度設定操作を示す画像調整画面である。
【図８】マルチカラーモードにおける、彩度が上限または下限で停止される操作を示す画像調整画面である。
【図９】マルチカラーモードにおける、全選択方式１による全選択画面である。
【図１０】マルチカラーモードにおける、全選択方式１による画像調整画面の推移を説明する図である。
【図１１】マルチカラーモードにおける、全選択方式２による全選択画面である。
【図１２】マルチカラーモードにおける、全選択の第２の処理を説明する図である。
【図１３】マルチカラーモードにおける、リセット操作を示す画像調整画面である。
【図１４】マルチカラーモードにおける、タッチパネルにより表示画像から色相を指定する例を示す図である。
【図１５】マルチカラーモードにおける、カラーマークのサイズを彩度に応じて変化させた画像調整画面である。
【図１６】マルチカラーモードによる画像調整の手順を説明する図である。
【図１７】モノクロクリエータモードによる画像調整の手順を説明する図である。
【図１８】モノクロディスクの拡大図である。
【図１９】カラークリエータモードによる画像の調整を説明する図である。
【図２０】カラーディスクの拡大図である。
【図２１】撮像装置全体の処理手順を説明するためのフローチャートである。
【図２２】ＵＩ処理の手順を示すサブルーチンである。
【図２３】マルチカラー処理の手順を示すサブルーチンである。
【図２４】個別選択と全選択方式１と全選択方式２の関係を示す図である。
【図２５】ボタン操作処理の手順を示すサブルーチンである。
【図２６】ダイヤル操作処理の手順を示すサブルーチンである。
【図２７】カラーマークのサイズ設定処理の手順を示すサブルーチンである。
【図２８】タッチパネル操作処理の手順を示すサブルーチンである。
【図２９】マルチカラー処理の手順を示すフローチャートである。
【図３０】モノクロクリエータ処理の手順を示すフローチャートである。
【図３１】カラークリエータ処理の手順を示すフローチャートである。
【図３２】色相と彩度をＸＹの直交軸で表した画像調整画面を示す図である。
【発明を実施するための形態】
【０００８】
以下、図面に従って本発明の実施形態を説明する。図１は、本実施形態にかかる撮像装置１の外観図である。図１の上が、撮像装置１の背面図である。図１の下が、撮像装置１の正面図である。撮像装置１は、本体２と本体２に着脱可能なレンズ部３から構成される。
【０００９】
本体２の背面の主要な範囲を占めるように、背面モニタ１０が設けられる。背面モニタ１０は、撮影画像や再生画像あるいは撮像装置の条件設定用のメニュー画面等を表示する画像表示装置である。背面モニタ１０は、ＬＣＤあるいは有機ＥＬ等で構成される。背面モニタ１０には、一体的にタッチパネル１０ａが設けられる。
【００１０】
本体２背面の左寄り上部には、電子ビューファインダ１２が設けられる。電子ビューファインダ１２は、覗き込み型の画像表示装置で、内部に小型のＬＣＤあるいは有機ＥＬが設けられる。また、電子ビューファインダ１２の右枠にはアイセンサ１２ａが設けられる。アイセンサ１２ａは、撮影者により電子ビューファインダ１２が覗かれているかを検知する光センサである。
【００１１】
本体２の上面には、フロントダイヤル２０、シャッターボタン２２、リアダイヤル２４、電源ボタン２６が設けられる。フロントダイヤル２０とリアダイヤル２４は、各種撮影パラメータの設定等に用いられるダイヤル式の操作部材である。また、フロントダイヤル２０とリアダイヤル２４は、後述する画像の色調整を行う画像調整画面で、色相の指定や彩度の設定を行う操作部材となる。画像調整画面では、フロントダイヤル２０は第１のダイヤルとも呼ばれ、リアダイヤル２４は第２のダイヤルとも呼ばれる。
【００１２】
シャッターボタン２２は、撮影指示を入力するボタンである。例えば、シャッターボタン２２は、1段目でＡＦ、ＡＥ等の処理を、２段目で撮影を開始する２段式である。電源ボタン２６は、撮像装置１の電源のオンオフを指示するボタンである。
【００１３】
本体２の背面には、ＰＩＣＴボタン３０、モードボタン３１、ＩＮＦＯボタン３２、ＸＹ方向ボタン３３、ＯＫボタン３４、メニューボタン３５、再生ボタン３６が設けられる。
【００１４】
ＰＩＣＴボタン３０は、設定ＵＩを呼び出すボタンである。ピクチャーモードは、画像調整処理のモードで、マルチカラー、カラークリエータ、モノクロクリエータの３つのモードが用意されているが、詳細は後述する。モードボタン３１は、撮影モード等の撮像装置１の動作モードを切換えるボタンである。ＩＮＦＯボタン３２は、情報表示画面を呼び出すボタンである。また、ＩＮＦＯボタン３２は、ピクチャーモードの１つであるマルチカラーモードでは、個別選択と全選択を切換えるボタンとしても機能する。
【００１５】
ＸＹ方向ボタン３３は、４つのボタンから構成され、背面モニタ１０の画面上でカーソルを上下左右に移動させるボタンである。ＯＫボタン３４は、条件変更等を許可するボタンである。メニューボタン３５は、メニュー画面を呼び出すボタンである。再生ボタン３６は、撮影モードと再生モードの切換えを指示するボタンである。また、再生モード中でも、シャッターボタン２２を1段目まで押下すると撮影モードに切換るようにしてもよい。
【００１６】
本体２の正面には、レンズ部３が設けられる。本体２の正面の左側にはグリップ１４が形成される。また、本体２の正面のレンズ部３左横には、ピクチャーモードダイヤル４０が設けられる。ピクチャーモードダイヤル４０は、ピクチャーモードの３つのモードを切換えるダイヤルである。また、ピクチャーモードダイヤル４０は、ピクチャーモードの３つのモードに通常撮影のモードを追加して、４つのモードを切換える形式にしてもよい。また、フロントダイヤル２０やリアダイヤル２４は、背面に、例えばＸＹ方向ボタン３３を取り囲むように設けてもよい。そして、後述するカラーディスクの回転方向とダイヤルの回転方向を一致させるようにすれば、より直感的な操作を提供することができる。
【００１７】
図２は、撮像装置１の全体ブロック図である。レンズ部３は、被写体像を撮像面上に結像する。レンズ部３は、以下不図示の、光学レンズ群、ピント及びズームのためのレンズ駆動部、絞り、絞り駆動部等を有する。レンズ制御部５０は、レンズ駆動部、絞り駆動部等を制御する。また、レンズ制御部５０は、本体２にレンズ情報を送ると共に、本体２からの指示に従ってレンズ制御を行う。
【００１８】
本体２は、シャッター部６０、撮像部６２、操作部材６４、バッファーメモリ８０、保存用メモリ８２、外部メモリ８４、カメラ制御部１００を有する。
【００１９】
シャッター部６０は、例えば電子制御式のフォーカルプレーンシャッターで、開閉自在に構成され、レンズ部３から入射された光が撮像部６２へ達しないよう遮光を行う。シャッター部６０は、通常はライブビューのために開放されている。
【００２０】
撮像部６２は、不図示のＣＣＤあるいはＣＭＯＳ等の2次元光電素子群で、レンズ部３から入射され結像した被写体像を光電変換する。
【００２１】
操作部材６４は、図１で説明した各ボタンやダイヤルを総括するもので、フロントダイヤル２０、シャッターボタン２２、リアダイヤル２４、電源ボタン２６、ＰＩＣＴボタン３０、モードボタン３１、ＩＮＦＯボタン３２、ＸＹ方向ボタン３３、ＯＫボタン３４、メニューボタン３５、再生ボタン３６、ピクチャーモードダイヤル４０からなる。
【００２２】
バッファーメモリ８０は、画像処理演算領域として、あるいは表示や外部メモリーデータの一時保管等に使用される。保存用メモリ８２は、書き換え可能な不揮発性のメモリで、例えば、フラッシュメモリである。保存用メモリ８２には、撮像装置１を制御するための制御プログラムや、撮像装置１の各種設定等及び画像調整画面用のグラフィックデータが格納される。外部メモリ８４は、例えば、本体２から挿抜可能な不揮発性のフラッシュメモリで、撮影された画像データが保存される。
【００２３】
カメラ制御部１００は、撮像装置１全体を統括的に制御する制御部である。カメラ制御部１００は、撮像制御部１０２、シャッター制御部１０４、レンズ通信部１０６、外部メモリ制御部１０８、表示制御部１１０、画像処理部１２０、操作入力部１３０及びＣＰＵ１４０を有する。
【００２４】
撮像制御部１０２は、撮像部６２を制御すると共に、撮像部６２から出力される画像信号をデジタルの画像データに変換する。シャッター制御部１０４は、シャッター部６０の開閉を制御する。レンズ通信部１０６は、レンズ部３と通信を行い、レンズ部３へピントの移動情報やズーム位置情報を送信したり、レンズ部３からレンズ情報や状態情報を受信する。
【００２５】
外部メモリ制御部１０８は、外部メモリ８４への画像データの書込みや読出しを制御する。表示制御部１１０は、背面モニタ１０や電子ビューファインダ１２を制御して、背面モニタ１０や電子ビューファインダ１２にライブビュー画像、撮影画像やＯＳＤ（ｏｎ ｓｃｒｅｅｎ ｄｉｓｐｌａｙ）を表示する。表示制御部１１０は、ＯＳＤの１つとして、操作入力部１３０への操作に応じて、画像調整画面を作成し、表示させる。なお、背面モニタ１０や電子ビューファインダ１２は同列な表示手段であるので、区別が不要な場合にはまとめて表示部９０と呼ぶ。
【００２６】
画像処理部１２０は、撮像制御部１０２から出力される画像データに、補間処理やＷＢ処理等の各種処理を施して、ライブビュー画像ＬＶ等を生成する。また、画像処理部１２０は、外部メモリ８４に格納する為のＪＰＥＧデータ生成処理や、外部メモリ８４に格納された画像データを展開して表示データに変換する。さらに、画像処理部１２０は、ピクチャーモードの画像調整画面での設定に応じて、各種画像調整処理を行う。
【００２７】
操作入力部１３０は、フロントダイヤル２０等のダイヤル類、シャッターボタン２２等のボタン類及びタッチパネル１０ａに入力された内容に応じた指示をＣＰＵ１４０に通知する。  そして、操作入力部１３０は、フロントダイヤル２０により色相を指定し、指定された色相の彩度をリアダイヤル２４により設定する。なお、フロントダイヤル２０による操作入力を第１の操作入力、リアダイヤル２４による操作入力を第２の操作入力とも呼ぶ。
【００２８】
ＣＰＵ１４０は、保存用メモリ８２に格納された制御プログラムを実行して、カメラ制御部１００全体をコントロールする。なお、ＣＰＵ１４０は、制御処理部と呼ぶ。
【００２９】
図３は、図２の全体ブロック図の一部であって、画像調整処理に関する要素をまとめたものである。画像調整処理とは、前述した画像調整画面で撮影者からの指示に応じて、ライブビュー画像ＬＶや再生画像で、彩度や色調を調整する処理である。画像調整処理は、主に表示制御部１１０、画像処理部１２０、操作入力部１３０によって実行される。
【００３０】
前述したように画像調整処理として、マルチカラー、カラークリエータ、モノクロクリエータの３つのモードが用意されている。
【００３１】
表示制御部１１０は、選択されたモードに応じた画像調整画面を作成して、表示部９０（背面モニタ１０あるいは電子ビューファインダ１２）に、作成した画像調整画面をライブビュー画像等に重畳して表示する。また、操作入力部１３０に画像調整画面上で撮影者から所定の指示が入力されると、表示制御部１１０は、指示内容に応じて画像調整画面を更新し、画像処理部１２０で作成された彩度等が変更された画像を表示部９０に表示する。
【００３２】
表示制御部１１０は、画像調整画面を作成する機能部として、カラーマップ作成部１１２、カラーディスク作成部１１４、モノクロディスク作成部１１６を有する。
【００３３】
カラーマップ作成部１１２は、マルチカラー用の画像調整画面であるカラーマップを作成して、表示部９０に表示させる。詳細は後述するが、カラーマップ作成部１１２は、カラーマップとして、色相を角度方向に対応させ、各色相の彩度を径方向の距離に対応させた２次元座標により、指定した色相の彩度を設定する画面を表示部９０に表示させる。また、カラーマップ作成部１１２は、操作入力部１３０により設定された各色相の彩度の相対関係を示す多角形をカラーマップに表示させる。
【００３４】
カラーディスク作成部１１４は、カラークリエータ用の画像調整画面であるカラーディスクを作成して、表示部９０に表示させる。モノクロディスク作成部１１６は、モノクロクリエータ用の画像調整画面であるモノクロディスクを作成して、表示部９０に表示させる。
【００３５】
画像処理部１２０は、画像調整画面上で彩度や色調を調整する機能部として、マルチカラー処理部１２２、カラークリエータ処理部１２４、モノクロクリエータ処理部１２６を有する。
マルチカラー処理部１２２は、対象となる画像の中で、画像調整画面（カラーマップ）で指定された色相を有する画像の彩度を、設定された彩度に変更する処理を行い、画像を生成する。マルチカラーモードでは、画像の中で指定されていない色相の部分は、影響を受けない。
【００３６】
カラークリエータ処理部１２４は、自動調整された色バランスの画像を、画像調整画面（カラーディスク）で指定された色調に強調する処理を行う。さらに、カラークリエータ処理部１２４は、指定された色相に強調された画像の彩度を、画像調整画面（カラーディスク）で設定された彩度に変更する処理を行い、画像を生成する。カラークリエータモードでは、特定の色相を有する画像の彩度だけでなく画像全体の彩度が変化する。
【００３７】
モノクロクリエータ処理部１２６は、自動調整された色バランスのカラー画像に、画像調整画面（モノクロディスク）で指定された色相と彩度に基づくモノクロ変換を行い、モノクロ画像を生成する。モノクロクリエータモードでも、カラー画像全体にモノクロ変換がなされるので、特定の色相を有する画像の彩度だけでなく画像全体の彩度が変化する。なお、表示制御部１１０及び操作入力部１３０から構成される装置、またはさらに画像処理部１２０を加えた装置を画像調整装置と呼ぶ。
【００３８】
〈マルチカラーモード〉
まず、マルチカラーモードの画像調整処理を説明する。マルチカラーモードは、画像の中で指定された色相を有する部分の彩度を、設定された彩度に調整するものである。前述のように、画像の中で指定されていない色相の部分は、影響を受けない。
【００３９】
マルチカラーモードでは、画像調整画面として、色相を角度方向に対応させ、各色相の彩度を径方向の距離に対応させた２次元座標により、指定した色相の彩度を設定するカラーマップを表示させる。図４〜図１６により、マルチカラーモードの画像調整画面を説明する。
【００４０】
図４は、表示部９０の画面Ｄ１に、ライブビュー画像ＬＶに重畳して表示される画像調整画面の例である。画像調整画面は、カラーマップ２００と、カラーマップ２００の４隅に配置される補助マーク（２８０、２８２、２８４、２８６）から構成される。
【００４１】
補助マークは、操作のための補助情報である。補助マーク２８０は、フロントダイヤル２０が、色相を調整する手段であることを示す。補助マーク２８２は、リアダイヤル２４が、彩度を調整する手段であることを示す。補助マーク２８４は、指定されている色相の色を示すものである。補助マーク２８６は、設定されている彩度の値を示す。±０は、彩度の現設定値がデフォルト値であることを示す。
【００４２】
図５は、カラーマップ２００を拡大した図である。本例のカラーマップ２００は、色相を１２段階で指定できるようにした例である。各色相が、３０°間隔の方向、つまり時計の「０時〜１１時」と対応する。本例では、０時の色相を「黄」、１時の色相を「黄橙」、２時を「赤橙」、３時を「赤」、４時を「赤紫」、５時を「紫」、６時を「青紫」、７時を「青」、８時の色相を「緑を含む青」、９時を「青緑」、１０時を「緑」、１１時を「黄緑」とする。そして、以下の説明では、便宜上、図５で「黄（０時）、・・・、黄緑（１１時）」のように示すように、各色相を対応する方向と対で表現する。ただし、「０時（黄）、・・・、１１時（黄緑）」の各文字は、画面には表示しなくてもよい。
【００４３】
カラーマップ２００の外周には、正１２角形の色相環２１０が配置される。色相環２１０の３０°間隔の扇型のエリアＣ０〜Ｃ１１には、対応する色相の色が表示される。例えば、エリアＣ０は「黄」で表示され、エリアＣ１は「黄橙」で表示される。なお、色相環２１０の色は、１２色に分断しないで、連続的に表示してもよい。
【００４４】
カラーマップ２００には、角度方向に移動し色相を指定するコントロールバー２３０が設けられる。コントロールバー２３０は、彩度の設定位置を示す段数マーク２３２の列から構成される。本例では、コントロールバー２３０が８個の段数マーク２３２から構成される例を示す。すなわち、彩度が８段階で設定可能である。最外周の段数マーク２３２ａが、彩度の最高値に対応し、最内周の段数マーク２３２ｂが、彩度の最低値に対応する。
【００４５】
図５では、コントロールバー２３０は０時の方向である。コントロールバー２３０の初期位置が０時の方向である。フロントダイヤル２０の回転に応じて、コントロールバー２３０が回転される。フロントダイヤル２０の回転方向と、コントロールバー２３０の回転方向は、ユーザから見て同じとする。
【００４６】
カラーマップ２００では、各１２色の色相の現在設定されている彩度の位置に、カラーマークＭ０〜Ｍ１１が配置される。カラーマークＭ０は黄（０時）の彩度、カラーマークＭ１は黄橙（１時）を示す。カラーマークＭ０〜Ｍ１１の１２個をまとめてカラーマークＭとも呼ぶ。
【００４７】
また、カラーマークＭ０〜Ｍ１１は、対応する色相の色で表示される。そして、隣接する各カラーマークが直線で接続され、全体で１つの多角形を形成する。カラーマークＭを頂点とし、隣接するカラーマークＭを結ぶ直線を辺として形成される多角形を彩度グラフ２４０と呼ぶ。彩度グラフ２４０は、色相全体の彩度バランスを示す。
【００４８】
コントロールバー２３０で、現彩度の設定位置に、ポイントマーク２５０が表示される。ポイントマーク２５０は、段数マーク２３２及びカラーマークＭに対して識別可能に表示される。例えば、ポイントマーク２５０は、段数マーク２３２やカラーマークＭより大きなサイズで表示される。また、ポイントマーク２５０は、対応する色相の色で表示される。
【００４９】
ポイントマーク２５０は、リアダイヤル２４の回転に応じて、段数マーク２３２の列を移動する。以下では、リアダイヤル２４が時計方向に回転されると、ポイントマーク２５０が内周方向に移動して彩度が低く設定され、逆に、リアダイヤル２４の反時計方向に回転されると、ポイントマーク２５０が外周方向に移動して彩度が高く設定されるものとする。
【００５０】
また、カラーマップ２００には、設定可能な彩度の下限（最低値）を示す下限枠２２０と、設定可能な彩度の上限（最高値）を示す上限枠２２４と、彩度の初期値（デフォルト値）を示すニュートラルライン２２２が、それぞれ表示される。下限枠２２０、上限枠２２４、ニュートラルライン２２２は、彩度グラフ２４０と中心を共通にする正１２角形である。
【００５１】
図５では、彩度が全て初期値に設定されているとする。そのため、カラーマークＭ０〜Ｍ１１の全てが、ニュートラルライン２２２上の位置し、彩度グラフ２４０がニュートラルライン２２２に重なっている。
【００５２】
図６は、色相を変えずに、彩度を設定する操作を示す画像調整画面である。なお、図６以降では、煩雑さを避けるために、画面からライブビュー画像ＬＶを省略し、カラーマップ２００のみを示す。また、コントロールバー２３０は、段数マーク２３２を省略し、太い破線で示す。
【００５３】
図４のカラーマップ２００で、リアダイヤル２４が反時計方向に回転されると、図６のカラーマップ２００ａに示すように、コントロールバー２３０が０時方向のままで、コントロールバー２３０のポイントマーク２５０が外周側にリアダイヤル２４の回転角に応じた段数だけ移動する。図６のカラーマップ２００ａは、ポイントマーク２５０が２段移動した例である。これにより、黄（０時）の彩度が２段分高く設定され、画像の中で黄の画像の彩度が、２段分高く表示される。細い破線は、ニュートラルライン２２２を示す。
【００５４】
図７は、指定された色相で彩度を設定する操作を示す画像調整画面である。図６のカラーマップ２００ａで、フロントダイヤル２０が時計方向に回転されると、図７のカラーマップ２００ｂに示すように、コントロールバー２３０がフロントダイヤル２０の回転角に応じて時計方向に移動する。カラーマップ２００ｂは、コントロールバー２３０が赤（３時）に移動した例を示す。これにより、赤が色相として指定される。
【００５５】
リアダイヤル２４が時計方向に回転されると、ポイントマーク２５０が内周側にリアダイヤル２４の回転角に応じた段数だけ移動する（カラーマップ２００ｃ）。カラーマップ２００ｃは、２段移動した例を示す。これにより、赤（３時）の彩度が２段分低く設定される。画像の中で赤の画像の彩度が２段分低く表示される。
【００５６】
図８は、彩度が上限または下限で停止される操作を示す画像調整画面である。図６のカラーマップ２００ａで、フロントダイヤル２０が反時計方向に回転されると、図８のカラーマップ２００ｄに示すように、コントロールバー２３０が黄緑（１１時）に移動する。リアダイヤル２４が時計方向に回転されると、ポイントマーク２５０が内周側に移動するが、ポイントマーク２５０は下限枠２２０で停止する（カラーマップ２００ｅ）。下限枠２２０停止後にリアダイヤル２４が時計方向に回転されても、操作は無効とされる。
【００５７】
同様に、図６のカラーマップ２００ａで、リアダイヤル２４が反時計方向に回転されると、ポイントマーク２５０が外周側に移動するが、ポイントマーク２５０は上限枠２２４で停止し、上限枠２２４より外側へは移動しない（カラーマップ２００ｆ）。
【００５８】
図６〜図８までは、個々の色相の彩度を調整する方式（個別選択と呼ぶ）について説明した。マルチカラーモードの画像調整画面では、全色相の彩度をまとめて調整（全選択と呼ぶ）することもできる。
【００５９】
そして、個別選択の画像調整画面から、全選択の画像調整画面への切換え方式として、ボタン押下による方式(全選択方式１と呼ぶ)と、コントロールバー２３０の移動で切換える方式(全選択方式２と呼ぶ)の２つが用意される。全選択方式１と全選択方式２の例を、以下に説明する。
【００６０】
図９は、全選択方式１による全選択の画像調整画面を説明する図である。図９上のカラーマップ２００ｇは、個別選択の画像調整画面である。図４と同様に、補助マーク２８４は、指定されている色相の色を示すもので、補助マーク２８６は、設定されている彩度（−２）を示すものである。個別選択のカラーマップ２００ｇで、ＩＮＦＯボタン３２が押下されると、全選択の画像調整画面であるカラーマップ２００ｈに切換わる。全てのカラーマークＭがポイントマーク２５０に切換るので、カラーマークＭがポイントマーク２５０と同じサイズで表示される。
【００６１】
全選択の画像調整画面には、個別選択と区別するための表示がされる。例えば、彩度グラフ２４０の各辺が、２重線で表示される。また、全選択を示す補助マーク２８８も同時に表示してもよい。なお、全選択の画像調整画面では、色相を指定するコントロールバー２３０は不要なので消去される。
【００６２】
図１０は、全選択方式１での画像調整画面の推移を説明する図である。図９のカラーマップ２００ｈの状態から、リアダイヤル２４が反時計方向に回転操作されると、各色相の彩度が外周側に回転角に応じた段数だけ移動する（カラーマップ２００i）。カラーマップ２００ｉは、２段移動した例で、全色相の彩度が２段分高く設定される。彩度グラフ２４０は、色相間の彩度バランスを保持したまま拡大される。
【００６３】
また、カラーマップ２００ｈで、ＩＮＦＯボタン３２が押圧されると、全選択が解除されて、カラーマップ２００ｊに示すような個別選択に戻り、コントロールバー２３０が表示される。
【００６４】
図１１は、全選択方式２による全選択の画像調整画面を説明する図である。全選択方式２は、ボタンを使用しないで、コントロールバー２３０の移動により個別選択から全選択に切換える方式である。なお、コントロールバー２３０の移動により個別選択と全選択を切換える操作を、第３の操作とも呼ぶ。つまり、操作入力部は、第３の操作がなされた場合には、全ての色相が指定されたものとして、リアダイヤル２４により全ての色相の彩度を設定する。
【００６５】
具体的には、全選択方式２は、カラーマップ２００の０〜３６０°の間に、個別選択と全選択を切換える切換えエリアの予め定め、切換えエリアにコントロールバー２３０を移動させることで、個別選択と全選択を切換える方式である。以下では、１１時から０時の間に切換エリアが設定された状態での操作例を説明する。
【００６６】
コントロールバー２３０が０時に位置する状態で（カラーマップ２００ｋ）、フロントダイヤル２０で、コントロールバー２３０を１１時方向へ移動する操作を行うと、コントロールバー２３０は固定した状態（０時のまま）で、全選択に切換る（カラーマップ２００ｌ）。この状態で、リアダイヤル２４を回転操作すれば、全選択方式１と同様に、各色相の彩度を一括して調整することができる。全選択方式２でも、全選択方式１と同様に、画像調整画面では、コントロールバー２３０は消去される。
【００６７】
また、カラーマップ２００ｌの状態で、表示されていないコントロールバー２３０を１１時方向に移動させるかのように、フロントダイヤル２０が反時計方向に回転操作されると、全選択が解除され、個別選択に戻る。そして、画像調整画面に、コントロールバー２３０が表示されて１１時方向に移動する。
【００６８】
同様に、個別選択の状態で、コントロールバー２３０が１１時に位置する状態から、フロントダイヤル２０により、コントロールバー２３０を０時方向へ移動させるような操作された場合にも、全選択に切換る。そして、再度フロントダイヤル２０が時計方向に回転操作されると、全選択が解除され、個別選択に戻る。この場合には、コントロールバー２３０が、表示されて０時方向に移動する。
【００６９】
また、全選択用の切換えエリアのための頂点を設けてもよい。つまり、彩度グラフ２４０を１２角形から１３角形に変更して、１つ増えた頂点を、全選択用の切換えエリアにしても良い。
【００７０】
次に、全選択の状態で、少なくとも１つの色相の彩度が上限の達した場合の処理について説明する。図８で説明したように、個別選択では、彩度が上限又は下限に達した場合に、それ以降の操作を無効と処理する。全選択では、以下説明する２つの処理を選択することが可能である。
【００７１】
全選択の第１の処理では、少なくとも１つの色相の彩度が上限に達すると、以降は、リアダイヤル２４で彩度を上げる操作がされても、全ての色相で、彩度の変更はされない。つまり、上限に達していない彩度も変更されないようにする。もちろん、彩度を下げる操作がされた場合には、操作に応じて、全ての色相の彩度を下げる。
【００７２】
１つの色相の彩度が下限に達した場合も、同様である。つまり、少なくとも１つの色相の彩度が下限に達した状態では、以降は、リアダイヤル２４で彩度を下げる操作がされても、全ての色相で、彩度の変更はされない。
【００７３】
全選択の第２の処理では、少なくとも１つの色相の彩度が上限に達した状態で、リアダイヤル２４で彩度を上げる操作がされた場合には、上限に達していない色相の彩度が、操作に応じて上げられる。同様に、少なくとも１つの色相の彩度が下限に達した状態で、リアダイヤル２４で彩度を下げる操作がされた場合には、下限に達していない色相の彩度が、操作に応じて下げられる。図１２に、１つの色相の彩度が上限に達した状態での全選択の第２の処理の具体例を説明する。
【００７４】
図１２は、全選択の第２の処理を説明する図である。彩度グラフ２４１ａで、青紫（６時）の彩度が上限に達し、赤紫（４時）の彩度が下限に達した状態とする（カラーマップ２０１ａ）。リアダイヤル２４で彩度を１段上げる操作がされると、彩度グラフ２４１ｂで青紫（６時）の彩度は上限で停止され、他の色相の彩度が１段上がり、黄（０時）が上限に達する（カラーマップ２０１ｂ）。
【００７５】
さらに、リアダイヤル２４で彩度を１段上げる操作がされると、彩度グラフ２４１ｃで、青紫（６時）と黄（０時）の彩度は上限で停止され、他の色相の彩度が１段上がり、青（７時）が上限に達する（カラーマップ２０１ｃ）。
【００７６】
更に、リアダイヤル２４で彩度を上げる操作がされると、上限に達していない色相の彩度だけが１段ずつ上がる（カラーマップ２０１ｄ、カラーマップ２０１ｅ）。全ての色相の彩度が上限に達した場合には（彩度グラフ２４１ｆ、カラーマップ２０１ｆ）、以降のリアダイヤル２４の彩度を上げる操作は無効と処理される。
【００７７】
次に、カラーマップ２０１ｆで、リアダイヤル２４で彩度を下げる操作がされると、全ての色相の彩度が下げられるのではなく、カラーマップ２０１ａ〜カラーマップ２０１ｅで彩度を上げる操作がされた順番を遡及するように、彩度が下げられる。つまり、リアダイヤル２４で１段彩度を下げる操作がされると、カラーマップ２０１ｆの彩度グラフ２４１ｆからカラーマップ２０１ｅの彩度グラフ２４１ｅの状態に戻る。以下同様に、リアダイヤル２４で彩度を１段下げる操作に応じて、カラーマップ２０１ｅ→カラーマップ２０１ｄ→カラーマップ２０１ｃ→カラーマップ２０１ｂ→カラーマップ２０１ａのような段階で、彩度が下げられる。これにより、操作者の意図に沿った、全体の彩度調整を実現することができる。
【００７８】
次に、リセット操作を説明する。図１３は、リセット操作が行われた状態を示す図である。カラーマップ２００ｍは、黄緑（１１時）と黄（０時）の彩度が調整された画像調整画面である。リセット操作（ＯＫボタン３４の押下）がされると、全色相の彩度は、初期位置に戻り、カラーマークＭ０〜Ｍ１１は、ニュートラルライン２２２の位置に戻る（カラーマップ２００ｎ）。彩度グラフ２４０が、ニュートラルライン２２２に一致する。また、コントロールバー２３０は０時に移動する。また、リセット操作では、カラーマークＭ０〜Ｍ１１が、ニュートラルライン２２２の位置ではなく、プリセットラインに戻るようにしてもよい。プリセットラインとは、例えば青近傍の彩度を上げて空を鮮やかに撮影できる彩度設定とか、全体に彩度を上げて、花を鮮やかに撮影できる彩度設定で、予め用意された彩度の条件である。プリセットラインは、メーカーで＊＊モードのように初期値として設定しておいてもよいし、ユーザがお気に入り設定として登録できるようにしておいてもよい。
【００７９】
これまでは、色相を指定する入力手段として、フロントダイヤル２０を使用する例を説明した。前述したように、マルチカラーモードでは、指定された色相を有する画像の彩度だけが変更される。つまり、マルチカラーモードは、特定の画像の彩度を変更する画像調整である。従って、現に画面に表示されている画像を指定する方が直接的とも言える。以下に、彩度設定する色相を画像から直接入力する例を説明する。
【００８０】
図１４は、タッチパネル１０ａにより表示画像から色相を指定する例を示す図である。カラーマップ２００ｐが表示される画面の左側に、ライブビュー画像ＬＶや再生画像等が表示される。画面Ｄで、彩度を変更したい被写体へタッチ操作が行われると、操作入力部１３０で、タッチ位置が特定される。特定されたタッチ位置に表示された被写体物の色相が検出され、１２色の色相の中から検出された被写体の色相に近い色相が選択される。詳細は、図２８で説明する。タッチされた被写体に近い色相にコントロールバー２３０が移動されたカラーマップ２００ｑが表示される。以降は、これまでと同様に、リアダイヤル２４の回転操作により、彩度が設定される。なお、画面のタッチ操作が行われた箇所に、タッチされた被写体の位置を示すためのカーソル２６０を表示してもよい。
【００８１】
また、ライブビュー画像ＬＶや再生画像等で被写体を特定する手段は、タッチパネル１０ａには限られない。例えば、ＸＹ方向ボタン３３によって、画面上で被写体を特定して、特定された被写体の色相を検出するようにしてもよい。１２色の色相の中から検出された被写体の色相に近い色相が選択される。
【００８２】
図１５は、カラーマークＭのサイズを彩度に応じて変化させる画像調整画面である。図１４までの例では、カラーマークＭのサイズは彩度に関わらず一定の例を示した。カラーマークＭのサイズを彩度に応じた大きさ、つまり径方向の距離に応じたサイズで示す例を、図１５で説明する。これにより、カラーマークＭの径方向の位置だけでなく、カラーマークＭのサイズによっても、彩度の高低を把握することができる。
【００８３】
カラーマップ２０２ａに示すように、カラーマークＭが上限枠２２４の位置、つまり彩度が上限の場合には、カラーマークＭ（ポイントマーク２５０を含む）のサイズを最大にする。例えばカラーマークＭ０やカラーマークＭ８が最大サイズである。
【００８４】
また、カラーマークＭがニュートラルライン２２２、つまり彩度が初期値の場合には、カラーマークＭのサイズを中間的なサイズにする。カラーマップ２０２ａでは、カラーマークＭ５とカラーマークＭ７が、中間的サイズである。カラーマークＭが下限枠２２０の位置、つまり彩度が下限の場合には、カラーマークＭのサイズを最小にする。カラーマップ２０２ａでは、カラーマークＭ６が最小サイズである。
【００８５】
また、カラーマップ２０２ａ及びカラーマップ２０２ｃに示すように、カラーマークＭのサイズは、上限から下限の全ての位置で、隣接するカラーマークＭ同士が重複しないようなサイズに選ばれる。
【００８６】
なお、図１５では個別選択で画面例を示したが、全選択にも適用可能である。以上説明したマルチカラーモードによれば、他の色相の彩度を変更することなく希望の色相の彩度のみ変更することができるので、自在な色作りをすることができる。
【００８７】
また、マルチカラーモードでは画像調整画面として、色相を角度方向に対応させ、各色相の彩度を径方向の距離に対応させた２次元座標のカラーマップ２００により、指定した色相の彩度を設定するので、初心者ユーザであっても、希望する色相の彩度を直感的に調整することができる。また、カラーマップ２００には多角形の彩度グラフ２４０が表示されるので、この彩度グラフ２４０の形状により、各色相の彩度のバランスが一目でわかる。
【００８８】
また、マルチカラーモードでは、２つのダイヤルの回転操作で、それぞれ色相の指定と彩度の設定がなされるので、電子ビューファインダ１２を覗きこみながらの操作も簡単である。
【００８９】
また、マルチカラーモードでは、個別選択に加えて全選択を設けたので、特定の色相の彩度を変更することだけでなく、全体の色相の彩度をまとめて変更することも可能になる。これにより、最初に画像全体の彩度を全体選択で適当な位置にあわせた後に、特定の色相の彩度を上下させるような調整も可能になる。
【００９０】
そして、全選択への切換えを、ボタン方式とダイヤル方式の両方を用意し、利用環境に応じて選択できるようにした。ダイヤル方式を使えば、電子ビューファインダ１２を覗きこみながらの切換え操作も簡単にできる。また、カラーマークのサイズを、彩度の高低（径方向の距離）に応じた大きさにしたので、カラーマークのサイズによっても、彩度の高低が示される。カラーマークのサイズの大小と彩度の高低が一致するので、使用者が操作の方向を間違えることも防止できる。
【００９１】
〈ピクチャーモード〉
これまでは、ピクチャーモードの中のマルチカラーモードの画像調整処理を説明した。以下では、マルチカラーモード、モノクロクリエータ及びカラークリエータの３つ画像調整画面を対比して説明する。
【００９２】
なお、マルチカラーモード、モノクロクリエータ、カラークリエータの各画像調整画面を、第１の画像調整画面、第２の画像調整画面、第３の画像調整画面とも呼ぶ。そして、カラーマップ作成部１１２、モノクロディスク作成部１１６、カラーディスク作成部１１４を、第１の表示制御部、第２の表示制御部、第３の表示制御部とも呼ぶ。
【００９３】
図１６は、マルチカラーモードによる画像調整の手順を説明する図である。マルチカラーモードのカラーマップ２００に関する説明は、説明済であるので、省略する。表示部９０の画面Ｄ１は、撮影モードで通常表示されるライブビュー画像ＬＶの画面である。この画面でピクチャーモードダイヤル４０がマルチカラーモードの位置であるＣIに合わせられて、ＰＩＣＴボタン３０が押下されると、マルチカラーモードが設定される。
【００９４】
ライブビュー画像ＬＶの右側にカラーマップ２００が重畳表示される（画面Ｄ２）。カラーマップ２０３として、色相環２１０、コントロールバー２３０や彩度グラフ２４０が表示される。なお、画面Ｄ２は、個別選択の画面である。
【００９５】
個別選択（画面Ｄ２)から、ＩＮＦＯボタン３２が押下されると全選択（画面Ｄ３）になる。前述した全選択方式１である。カラーマップ２０３ａでは、彩度グラフ２４０の各辺が２重線で表示され、全選択に切換ったことが示される。
【００９６】
個別選択の状態(画面Ｄ２)から、フロントダイヤル２０によりコントロールバー２３０を０時から１１時に移動する操作がされると、全選択の状態になる（画面Ｄ４）。前述した全選択方式２である。カラーマップ２０３ｂでも、彩度グラフ２４０の各辺が２重線で表示され、全選択に切換ったことが示される。
【００９７】
このように、カラーマップ作成部１１２（第１の表示制御部）は、画像の中で指定された色相の彩度を調整する画像調整画面であって、色相を角度方向に対応させ、各色相の彩度を径方向の距離に対応させた２次元座標上で、彩度を調整する色相と調整する彩度をそれぞれ設定する第１の画像調整画面を生成する。
【００９８】
図１７は、モノクロクリエータモードによる画像調整を説明する図である。モノクロクリエータモードは、レンズ部３にカラーフィルタを装着した場合と同様の効果をデジタル画像処理により実現するものである。カラーフィルタによる効果の一例を挙げる。例えば、レンズ部３に赤色フィルタが装着されると、赤近傍波長の光はフィルタを透過し、その他の波長はフィルタに吸収される為、赤色が強く反映されたモノクロ画像を得ることができる。換言すれば、赤色フィルタが装着されると、赤の輝度が強く、補色の輝度が抑えられるため、モノクロ画像では赤の部分が明るく（白く）、補色の部分が暗く（黒く）なります。モノクロクリエータモードでは、ユーザからの指示に応じて画像処理によりこのような画像を生成する。
【００９９】
モノクロクリエータモードは、画像の色バランスを指定のフィルタ色にシフトし、設定されたフィルタ濃度でバランスの重み付けした画像をモノクロ画像に変換する処理である。そのため、モノクロクリエータモードでは、マルチカラーモードと異なり、画像の特定の色相部分だけでなく画像全体が変更される。後述カラークリエータモードも同様である。
【０１００】
ライブビュー画像ＬＶがカラー表示される通常の画面（画面Ｄ１０）で、ピクチャーモードダイヤル４０がモノクロモードの位置であるＭに合わせられて、ＰＩＣＴボタン３０が押下されると、通常のライブビュー表示がモノクロクリエータモードに切換る。
【０１０１】
モノクロクリエータモードでは、ライブビュー画像ＬＶはモノクロ表示され、ライブビュー画像ＬＶの右側にモノクロディスク４００ａが重畳表示される（画面Ｄ１１）。モノクロディスク４００ａは、モノクロクリエータモードにおける画像調整画面である。
【０１０２】
図１８は、モノクロディスク４００の拡大図である。モノクロディスク４００では、角度方向でフィルタ色が指定され、径方向の長さでフィルタ濃度が設定される。カラーマップ２００の色相と彩度が、モノクロディスク４００のフィルタ色とフィルタ濃度に相当する。
【０１０３】
モノクロディスク４００には、色相環４１０、中立エリア４２０、コントロールバー４３０、濃度リング４４０が設けられる。色相環４１０は、フィルタ色の方向を示すスケールである。色相環４１０には、変化する色相が連続的に表示される。カラーマップ２００では、色相環２１０は多角形形状であったが、モノクロディスク４００では色相環４１０は円周状に表示される。モノクロディスク４００にが、カラーマップ２００で表示された多角形の彩度グラフ２４０が存在しないからである。
【０１０４】
中立エリア４２０は、レンズ部３にカラーフィルタを装着していない状態に設定する領域である。コントロールバー４３０は、角度方向でフィルタ色を指定するもので、フロントダイヤル２０の回転に応じて回転する。濃度リング４４０は、径の大小でフィルタ濃度の高低を示すもので、リアダイヤル２４の回転に応じて、径が変化する。本例では、濃度リング４４０の径が大きいほどフィルタ濃度が高く、濃度リング４４０の径が小さいほどフィルタ濃度が低いとする。
【０１０５】
画面Ｄ１１のモノクロディスク４００ａは、コントロールバー４３０が４時の方向で、濃度リング４４０が最大径の状態である。４時方向のフィルタ色を赤とすると、ライブビュー画像ＬＶは、レンズ部３に赤色フィルタが装着されたように画像処理されて表示される。被写体の赤い部分が、モノクロ画像で最大限明るく表示される。ライブビュー画像ＬＶの花が赤とすると、画面Ｄ１１では、画面Ｄ１０に比べて、花の部分の輝度が高く表示される。
【０１０６】
画面Ｄ１１のモノクロディスク４００ａで、リアダイヤル２４がマイナス方向に回転されると、画面Ｄ１２のモノクロディスク４００ｂに示すように、濃度リング４４０の径が小さくなり、フィルタ濃度が低く設定される。画面Ｄ１２では、ライブビュー画像ＬＶの花の部分が暗く表示される。
【０１０７】
また、画面Ｄ１２のモノクロディスク４００ｂで、更にリアダイヤル２４がマイナス方向に回転されると、画面Ｄ１３のモノクロディスク４００ｃに示すように、濃度リング４４０の径がより小さくなり、フィルタ濃度が低く設定される。画面Ｄ１３では、ライブビュー画像ＬＶの花の部分が画面Ｄ１２より暗くなる。
【０１０８】
画面Ｄ１１で、フロントダイヤル２０がマイナス方向に回転されて、コントロールバー４３０が１０時に移動されると、画面Ｄ１４に切換る。ここで、「１０時」は「４時」から１８０°回転された位置にあるので、「１０時」のフィルタ色を、赤の補色の緑とする。赤の補色である緑がフィルタ色として指定されたので、画面Ｄ１４のモノクロディスク４００ｄに示すように、赤の輝度が低下し、ライブビュー画像ＬＶの花の部分が画面Ｄ１１より暗くなる。
【０１０９】
画面Ｄ１４で、リアダイヤル２４がマイナス方向に回転されると、画面Ｄ１５のモノクロディスク４００ｅに示すように、濃度リング４４０の径が小さくなりフィルタ濃度は低下するが、赤の輝度が上がるので、ライブビュー画像ＬＶの花の部分が画面Ｄ１４より明るくなる。
【０１１０】
画面Ｄ１５で、リアダイヤル２４がさらにマイナス方向に回転されると、画面Ｄ１６のモノクロディスク４００ｆに示すようにフィルタ濃度が低下し、ライブビュー画像ＬＶの花の部分が画面Ｄ１５より更に明るくなる。
【０１１１】
また、画面Ｄ１２で、フロントダイヤル２０がマイナス方向に回転されると、画面Ｄ１５に移行する。同様に、画面Ｄ１３で、フロントダイヤル２０がマイナス方向に回転されると、画面Ｄ１６に移行する。
【０１１２】
なお、コントロールバー４３０が０時位置、つまり中立エリア４２０に合わされた状態では、レンズにカラーフィルタを装着していない状態にあるので、濃度の調整はできない。
【０１１３】
このように、モノクロディスク作成部１１６（第２の表示制御部）は、カラー画像をモノクロ画像に変換するモノクロ係数を、設定されたフィルタ色とフィルタ濃度に応じて調整する画像調整画面であって、フィルタ色を角度方向に対応させ、フィルタ濃度を径方向の距離に対応させた２次元座標上で、フィルタ色とフィルタ濃度をそれぞれ設定するモノクロディスク４００（第２の画像調整画面）を生成する。
【０１１４】
以上のように、モノクロクリエータモードにより、実際のフィルタを装着することなしで、フィルタ装着したと同等な画像を取得することができる。画像調整画面としてモノクロディスク４００を表示することにより、フィルタ色の指定とフィルタ濃度の設定を簡単に行うことができる。
【０１１５】
図１９は、カラークリエータモードによる画像の調整を説明する図である。カラークリエータモードは、ホワイトバランスを指定の色相に補正し、彩度を設定された値に画像調整する処理である。カラークリエータモードでは、カラーディスク５００が画像調整画面として表示される。
【０１１６】
ライブビュー画像ＬＶが表示される通常の画面（画面Ｄ２０）で、ピクチャーモードダイヤル４０がカラーモードの位置であるＣIIに合わせられて、ＰＩＣＴボタン３０が押下されると、通常のライブビュー表示がカラークリエータモードに切換る。
【０１１７】
カラークリエータモードでは、ライブビュー画像ＬＶの右側にカラーディスク５００ａが重畳表示される（画面Ｄ２１）。
【０１１８】
図２０は、カラーディスク５００の拡大図である。カラーディスク５００もカラーマップ２００と同様に、角度方向で色相を示し、径方向の長さで彩度の高低を示す。
【０１１９】
カラーディスク５００には、色相環５１０、中立エリア５２０、カーソル５４０、ニュートラルライン５５０が設けられる。
【０１２０】
色相環５１０は、色相の角度方向を示すためのスケールで、モノクロディスク４００の色相環４１０と同等である。中立エリア５２０も、モノクロディスク４００の中立エリア４２０と同等である。カーソル５４０は、色相の指定と彩度の設定を行うものである。カーソル５４０は、フロントダイヤル２０の回転に応じて角度方向が変化し、リアダイヤル２４の回転に応じて、径方向の位置が変化する。本例では、カーソル５４０が外周側に位置するほど彩度が高く、内周側に位置するほど彩度が低いとする。
【０１２１】
図１９に戻る。画面Ｄ２１のカラーディスク５００ａでは、カーソル５４０は、角度方向が４時で、径方向の位置が最外周である。図１７の例と同様に、４時方向を赤とすると、赤方向にホワイトバランスが強調補正され、彩度が最大になるような画像処理がされる。ライブビュー画像ＬＶは、彩度が高く、赤みが強く表示される。
【０１２２】
画面Ｄ２１で、リアダイヤル２４がマイナス方向に回転されると、画面Ｄ２２のカラーディスク５００ｂに示すように、カーソル５４０が内周側に移動されて、彩度が低く設定される。ライブビュー画像ＬＶは、彩度が低く、赤みが強く表示される。
【０１２３】
画面Ｄ２１で、フロントダイヤル２０が回転されて、カーソル５４０が１０時の方向に移動されると、画面Ｄ２３のカラーディスク５００ｃに示すように、１０時方向を緑とすると、緑方向にホワイトバランスが強調補正される。ライブビュー画像ＬＶは、彩度が高く、緑が強く表示される。
【０１２４】
画面Ｄ２３で、フロントダイヤル２０が回転されて、カーソル５４０が１０時の方向で、内周側に移動されると、画面Ｄ２４に示すカラーディスク５００ｄように、彩度が低く設定される。ライブビュー画像ＬＶは、彩度が低く、緑が強く表示される。
【０１２５】
画面Ｄ２２で、フロントダイヤル２０が回転されてカーソル５４０が１０時の方向に移動されると、画面Ｄ２４に移行する。
【０１２６】
また、カーソル５４０が０時の方向に合わされて、リアダイヤル２４の回転で、カーソル５４０が中立エリア５２０の径方向に沿って調整されると、ホワイトバランスが特定の色相を強調補正することなく、彩度だけの調整を行うことができる。
【０１２７】
カラークリエータモードにより、画像全体を指定した色味に強調し、かつ鮮やかさも調整することができる。
【０１２８】
このように、カラーディスク作成部１１４（第３の表示制御部）は、画像のカラーバランスを強調補正する色相と、カラーバランスが強調補正される画像全体の彩度をそれぞれ設定して、画像全体の色調整を指示する画像調整画面であって、色相を角度方向に対応させ、彩度を径方向の距離に対応させた２次元座標上で、カーソルを移動させて、色相と彩度を設定するカラーディスク５００（第３の画像調整画面）を生成する。
【０１２９】
また、ピクチャーモードでは、「色相と彩度」や「フィルタ色とフィルタ濃度」を「フロントダイヤル２０とリアダイヤル２４」で操作することを説明したが、これに限るものではない。例えば、「フロントダイヤル２０とリアダイヤル２４」の代わりに、レンズ鏡筒に設けた操作リングを、操作手段に利用してもよい。上記したように、それぞれの調整手法に応じた３種の画像調整画面を用意した。操作の容易な３種の画像調整画面が用意されているので、初心者ユーザであっても、好みの画像を撮影することができる。
【０１３０】
〈ピクチャーモードの制御処理〉
次に、ピクチャーモードにおける制御処理を説明する。以下の処理は、主にカメラ制御部１００により実行される。
【０１３１】
図２１は、撮像装置１全体の処理手順を説明するためのフローチャートである。撮像装置１は、撮影モードに設定されているとする。カメラ制御部１００は、背面モニタ１０または電子ビューファインダ１２に、撮像部６２で撮影された画像（ライブビュー画像ＬＶ）を表示する（ステップＳ１０）。カメラ制御部１００は、ライブビュー画像ＬＶを表示させながら、ＵＩ（user interface）処理を行う（ステップＳ１２）。
【０１３２】
図２２は、ＵＩ（user interface）処理の手順を示すサブルーチンである。ＣＰＵ１４０は、保存用メモリ８２から、前回実行されたピクチャーモードの設定条件を読み出す（ステップＳ３０）。ＣＰＵ１４０は、現在ピクチャーモードのいずれのモードに設定されているかで、処理を選択する（ステップＳ３２）。ＣＰＵ１４０は、通常のライブビュー画面からピクチャーモードに切換えられた場合には、ピクチャーモードダイヤル４０の位置に応じて、モードを選択する。
【０１３３】
ＣＰＵ１４０は、現在ピクチャーモードがマルチカラーモードである場合には、マルチカラー処理を行う（ステップＳ３４）。ＣＰＵ１４０は、現在ピクチャーモードがカラークリエータモードである場合には、カラークリエータ処理を行う（ステップＳ３６）。ＣＰＵ１４０は、現在ピクチャーモードがモノクロクリエータモードである場合には、モノクロクリエータ処理を行う（ステップＳ３８）。ステップＳ３４〜ステップＳ３８の詳細は、後述する。
【０１３４】
ＣＰＵ１４０は、操作入力部１３０からの通知により、モード変更操作がされたかを判断する（ステップＳ４０）。ＣＰＵ１４０は、モード変更操作がされたと判断すると（ステップＳ４０ＹＥＳ）、ステップＳ３０に戻る。ＣＰＵ１４０は、モード変更操作がされていないと判断すると（ステップＳ４０ＮＯ）、図２１のステップＳ１４に進む。
【０１３５】
図２１に戻る。ＣＰＵ１４０は、操作入力部１３０からの通知により、電源ボタン２６の押下によりパワーオフ操作がされたかを判断する（ステップＳ１４）。ＣＰＵ１４０は、パワーオフ操作がされていないと判断すると（ステップＳ１４ＮＯ）、シャッターボタン２２の押下により撮影操作がされたかを判断する（ステップＳ１６）。
【０１３６】
ＣＰＵ１４０は、撮影操作がされたと判断すると（ステップＳ１６ＹＥＳ）、撮影処理を実行して（ステップＳ１８）、ステップＳ１０に戻る。ＣＰＵ１４０は、撮影操作がされていないと判断すると（ステップＳ１６ＮＯ）、ステップＳ１０に戻る。
【０１３７】
ＣＰＵ１４０は、パワーオフ操作がされたと判断すると（ステップＳ１４ＹＥＳ）、終了処理を実行して（ステップＳ２０）、処理を終了する。
【０１３８】
図２２に戻り、ステップＳ３４のマルチカラー処理を説明する。図２３は、マルチカラー処理の手順を示すサブルーチンである。
【０１３９】
ＣＰＵ１４０は、ＰＩＣＴボタン３０の押下により、マルチカラー呼出操作がされたかを判断する（ステップＳ５０）。ＣＰＵ１４０は、ステップＳ３０で読み出した前回のピクチャーモードの設定条件により、前回の設定に合わせた処理を行う（ステップＳ５２）。
【０１４０】
ＣＰＵ１４０は、前回の設定が個別選択であった場合には、個別選択の画像調整画面（カラーマップ）を表示する（ステップＳ５４）。具体的には、前回最後に表示されたカラーマップ２００が表示される。例えば、ＣＰＵ１４０は、図６で示したカラーマップ２００を表示する。
【０１４１】
また、ＣＰＵ１４０は、前回の設定が全選択方式１であった場合には、図９のカラーマップ２００ｈのような全選択方式１の画像調整画面を表示する（ステップＳ５６）。具体的には、前回最後に表示された全選択方式１のカラーマップ２００が表示される。
【０１４２】
また、ＣＰＵ１４０は、前回の設定が全選択方式２であった場合には、図１１のカラーマップ２００ｌのような全選択方式２の画像調整画面を表示する（ステップＳ５８）。ステップＳ５６と同様に、前回最後に表示された全選択方式２のカラーマップ２００が表示される。
【０１４３】
図２４は、個別選択と全選択方式１と全選択方式２の関係を示す図である。前述のように個別選択と全選択方式１は、ボタン操作によって切換えられる。個別選択と全選択方式２は、ダイヤル操作によって切換えられる。
【０１４４】
次に、ＣＰＵ１４０は、ボタン操作がされたかを判断する（ステップＳ６０）。ＣＰＵ１４０は、ボタン操作がされたと判断すると（ステップＳ６０ＹＥＳ）、ボタン操作処理を行う（ステップＳ６２）。
【０１４５】
図２５は、ボタン操作処理の手順を示すサブルーチンである。以下では、ボタン操作の中で、ＩＮＦＯボタン３２の操作による処理のみを説明する。ピクチャーモードに無関係な他のボタン操作については、省略する。
【０１４６】
ＣＰＵ１４０は、ＩＮＦＯボタン３２の操作がされたかを判断する（ステップＳ１００）。ＣＰＵ１４０は、ＩＮＦＯボタン３２の操作がされたと判断すると（ステップＳ１００ＹＥＳ）、現在の設定に応じた処理を行う（ステップＳ１０２）。ＣＰＵ１４０は、ＩＮＦＯボタン３２の操作がされていないと判断すると（ステップＳ１００ＮＯ）、図２３のステップＳ６４に進む。
【０１４７】
ＣＰＵ１４０は、現在の設定が、全選択方式２の場合には、ＩＮＦＯボタン３２の操作を無視して、図２３のステップＳ６４に戻る。ＣＰＵ１４０は、現在の設定が全選択方式１の場合には、個別選択に変更する（ステップＳ１０４）。
【０１４８】
ＣＰＵ１４０は、現在の設定が個別選択の場合には、彩度が上限に達している色相が1個以上あるかを判断する（ステップＳ１０６）。ＣＰＵ１４０は、彩度が上限に達している色相が１つもないと判断すると（ステップＳ１０６ＮＯ）、全選択方式１へ変更して（ステップＳ１１０）、ステップＳ１１２に進む。
【０１４９】
ＣＰＵ１４０は、彩度が上限に達している色相が１個以上あると判断すると（ステップＳ１０６ＹＥＳ）、彩度が下限に達している色相が1個以上あるかを判断する（ステップＳ１０８）。ＣＰＵ１４０は、彩度が下限に達している色相が1つもないと判断する（ステップＳ１０８ＮＯ）、全選択方式１へ変更する（ステップＳ１１０）。
【０１５０】
ＣＰＵ１４０は、変更に伴う表示処理を行う（ステップＳ１１２）。ＣＰＵ１４０は、表示制御部１１０にカラーマップ２００の変更を指示する。表示制御部１１０のカラーマップ作成部１１２は、変更に対応したカラーマップ２００を作成し、表示制御部１１０は、作成されたカラーマップ２００を表示部９０に表示させる。ＣＰＵ１４０は、ステップＳ１１２の後は、ステップＳ６８に進む。
【０１５１】
ＣＰＵ１４０は、彩度が下限に達している色相が1個以上あると判断すると（ステップＳ１０８ＹＥＳ）、全選択方式１への変更を行わないで、ステップＳ６４に戻る。上限及び下限に達した彩度がそれぞれ存在する場合には、彩度をまとめて変更方式はなじまないからである。
【０１５２】
図２３に戻る。ＣＰＵ１４０は、ボタン操作がされていないと判断すると（ステップＳ６０ＮＯ）、ステップＳ６４に進む。ＣＰＵ１４０は、ダイヤル操作がされたかを判断する（ステップＳ６４）。ＣＰＵ１４０は、ダイヤル操作がされたと判断すると（ステップＳ６４ＹＥＳ）、ダイヤル操作処理を行う（ステップＳ６６）。ＣＰＵ１４０は、ダイヤル操作がされていないと判断すると（ステップＳ６４ＮＯ）、ステップＳ６８に進む。
【０１５３】
図２６は、ダイヤル操作処理の手順を示すサブルーチンである。ＣＰＵ１４０は、操作がリアダイヤル２４の操作であるかを判断する（ステップＳ１２０）。ＣＰＵ１４０は、操作がリアダイヤル２４の操作でないと判断すると（ステップＳ１２０ＮＯ）、ステップＳ１４０に進む。ＣＰＵ１４０は、操作がリアダイヤル２４の操作であると判断すると（ステップＳ１２０ＹＥＳ）、現在の設定に応じた処理を選択する（ステップＳ１２２）。
【０１５４】
ＣＰＵ１４０は、現在の設定が個別選択の場合には、リアダイヤル２４の回転方向と回転角に応じて、指定された色相で設定された彩度に変更する（ステップＳ１２４）。
【０１５５】
また、ＣＰＵ１４０は、現在の設定が全選択方式１，２の場合には、リアダイヤル２４の操作が彩度を高くする方向であるかを判断する（ステップＳ１２６）。ＣＰＵ１４０は、リアダイヤル２４の操作が彩度を高くする方向であるかを判断すると（ステップＳ１２６ＹＥＳ）、彩度が上限に達している色相があるかを判断する（ステップＳ１２８）。ＣＰＵ１４０は、彩度が上限に達している色相があると判断すると（ステップＳ１２８ＹＥＳ）、リアダイヤル２４の操作を無効として、ステップＳ１４０に進む。
【０１５６】
ＣＰＵ１４０は、彩度が上限に達している色相がないと判断すると（ステップＳ１２８ＮＯ）、全色相の彩度を高く変更して（ステップＳ１３０）、ステップＳ１３６に進む。
【０１５７】
ＣＰＵ１４０は、リアダイヤル２４の操作が彩度を高くする方向でないと判断すると（ステップＳ１２６ＮＯ）、彩度が下限に達している色相があるかを判断する（ステップＳ１３２）。ＣＰＵ１４０は、彩度が下限に達している色相があると判断する（ステップＳ１３２ＹＥＳ）、リアダイヤル２４の操作を無効として、ステップＳ１４０に進む。
【０１５８】
ＣＰＵ１４０は、彩度が下限に達している色相がないと判断すると（ステップＳ１３２ＮＯ）、全色相の彩度を低く変更して（ステップＳ１３４）、ステップＳ１３６に進む。
【０１５９】
そして、ＣＰＵ１４０は、カラーマークのサイズ設定処理を行う（ステップＳ１３６）。図２７は、カラーマークのサイズ設定処理の手順を示すサブルーチンである。表示制御部１１０のカラーマップ作成部１１２は、カラーマークＭの径方向の位置に応じて、カラーマークの表示サイズを変更する。前述の図１５では、径方向に応じて連続的に、カラーマークのサイズを大きくする例を示したが、図２７では、ニュートラルライン２２２を基準にカラーマークＭの表示サイズを変更する処理例を説明する。なお、以下のカラーマークＭには、ポイントマーク２５０も含まれるものとする。
【０１６０】
ＣＰＵ１４０は、カラーマークＭがニュートラルライン２２２より内側、つまり初期値より低い値に変更されたかを判断する（ステップＳ１６０）。ＣＰＵ１４０は、カラーマークがニュートラルライン２２２より内側に変更されたと判断すると（ステップＳ１６０ＹＥＳ）、変更された彩度に応じて、カラーマークＭのサイズを、通常より小サイズに設定する（ステップＳ１６２）。
【０１６１】
ＣＰＵ１４０は、カラーマークＭがニュートラルライン２２２より内側に変更されていないと判断すると（ステップＳ１６０ＮＯ）、カラーマークＭのサイズを通常サイズに設定する（ステップＳ１６４）。
【０１６２】
ＣＰＵ１４０は、変更された全ての色相のカラーマークＭについて、サイズ設定が終了したかを判断する（ステップＳ１６６）。全選択が設定された場合である。個別選択の場合には、ステップＳ１６６は常にＹＥＳとなる。ＣＰＵ１４０は、変更された全ての色相のカラーマークＭについて、サイズ設定が終了していないと判断すると（ステップＳ１６６ＮＯ）、次のカラーマークＭに切換えて（ステップＳ１６８）、ステップＳ１６０に戻る。ＣＰＵ１４０は、変更された全ての色相のカラーマークＭについて、サイズ設定処理したと判断すると（ステップＳ１６６ＹＥＳ）、図２６のステップＳ１３８に進む。
【０１６３】
ＣＰＵ１４０は、ステップＳ１３６の後に、彩度変更に対応する表示処理を指示する（ステップＳ１３８）。ＣＰＵ１４０からの指示により、マルチカラー処理部１２２は画像処理における指定された色相の彩度を変更する。そして、マルチカラー処理部１２２は、指定された色相について変更された彩度で、ライブビュー画像ＬＶ等を生成する。また、カラーマップ作成部１１２は、変更に対応したカラーマップ２００を生成する。表示制御部１１０は、彩度が変更されたライブビュー画像ＬＶと対応するカラーマップ２００を表示する。
【０１６４】
ＣＰＵ１４０は、操作がフロントダイヤル２０の操作であるかを判断する（ステップＳ１４０）。ＣＰＵ１４０は、操作がフロントダイヤル２０の操作でないと判断すると（ステップＳ１４０ＮＯ）、図２３のステップＳ６８に進む。
【０１６５】
ＣＰＵ１４０は、操作がフロントダイヤル２０の操作であると判断すると（ステップＳ１４０ＹＥＳ）、現在の設定に応じた処理を選択する（ステップＳ１４２）。ＣＰＵ１４０は、現在の設定が個別選択である場合には、操作内容が全選択方式２の操作であるかを判断する（ステップＳ１４４）。全選択方式２に変更する操作は、図１１で説明した操作である。
【０１６６】
ＣＰＵ１４０は、操作内容が全選択方式２の操作でないと判断すると（ステップＳ１４４ＮＯ）、フロントダイヤル２０の操作方向と回転角に応じて、色相を変更する（ステップＳ１４６）。
【０１６７】
ＣＰＵ１４０は、操作内容が全選択方式２の操作であると判断すると（ステップＳ１４４ＹＥＳ）、個別選択から全選択方式２に設定を変更する（ステップＳ１４８）。
【０１６８】
また、ＣＰＵ１４０は、現在の設定が全選択方式２である場合には、操作内容が全選択を解除する操作であるかを判断する（ステップＳ１５０）。ＣＰＵ１４０は、操作内容が全選択を解除する操作であると判断すると（ステップＳ１５０ＹＥＳ）、全選択方式２から個別選択に設定を変更する（ステップＳ１５２）。
【０１６９】
ＣＰＵ１４０は、ステップＳ１４６、ステップＳ１４８、ステップＳ１５２の後に、色相等の変更に対応する表示処理を行う（ステップＳ１５４）。表示処理は、ステップＳ１３８と同等であるので、説明は省略する。ＣＰＵ１４０からの指示により、カラーマップ作成部１１２は、指定される色相を変更したカラーマップ２００や、個別選択と全選択を切換えたカラーマップ２００を生成する。
【０１７０】
ＣＰＵ１４０は、操作内容が全選択方式２を解除する操作でないと判断すると（ステップＳ１５０ＮＯ）、図２３に戻る。また、ＣＰＵ１４０は、現在の設定が全選択方式１である場合にも、フロントダイヤル２０の操作は無効として、図２３のステップＳ６８に進む。
【０１７１】
図２３に戻る。ＣＰＵ１４０は、タッチパネル操作がされたかを判断する（ステップＳ６８）。ＣＰＵ１４０は、タッチパネル操作がされていないと判断すると（ステップＳ６８ＮＯ）、ステップＳ７２に進む。ＣＰＵ１４０は、タッチパネル操作がされたと判断すると（ステップＳ６８ＹＥＳ）、タッチパネル操作処理を行う（ステップＳ７０）。
【０１７２】
図２８は、タッチパネル操作処理の手順を示すサブルーチンである。図１４で説明した操作の処理である。ＣＰＵ１４０は、個別選択が設定されているかを判断する（ステップＳ１８０）。タッチパネル操作による色相の指定は、個別選択でのみ有効とする。
【０１７３】
ＣＰＵ１４０は、個別選択が設定されていると判断すると（ステップＳ１８０ＹＥＳ）、タッチ箇所はライブビュー画像ＬＶであるかを判断する（ステップＳ１８２）。ＣＰＵ１４０は、タッチ箇所がライブビュー画像ＬＶであると判断すると（ステップＳ１８２ＹＥＳ）、画像処理部１２０のマルチカラー処理部１２２は、タッチ箇所の画像を抽出して、タッチ箇所の色相を特定する。マルチカラー処理部１２２は、特定したタッチ箇所の色相に最も近い色相を、カラーマップ２００の１２色の色相の中から選択する。
【０１７４】
ＣＰＵ１４０は、タッチ箇所の色相にポイントマーク２５０を移動させる（ステップＳ１８４）。カラーマップ作成部１１２は、マルチカラー処理部１２２で選択された色相に対応する角度方向にコントロールバー２３０を移動させたカラーマップ２００を作成する。
【０１７５】
ＣＰＵ１４０は、ステップＳ１８４の処理後、図２３に戻る。ＣＰＵ１４０は、個別選択が設定されていない（ステップＳ１８０ＮＯ）、あるいは、タッチ箇所はライブビュー画像ＬＶでない（ステップＳ１８２ＮＯ）と判断すると、図２３のステップＳ７２に進む。
【０１７６】
図２３に戻る。ＣＰＵ１４０は、ＯＫボタン３４の押下によりリセット操作がされたかを判断する（ステップＳ７２）。ＣＰＵ１４０は、リセット操作がされたと判断すると（ステップＳ７２ＹＥＳ）、全色の彩度を初期値に戻すリセット処理を行う（ステップＳ７４）。図１３で説明したように、全ての色相の彩度がニュートラルライン２２２に戻り、コントロールバー２３０も０時に戻ったカラーマップ２００が表示される。ＣＰＵ１４０は、リセット操作がされていないと判断すると（ステップＳ７２ＮＯ）、ステップＳ７６に進む。
【０１７７】
ＣＰＵ１４０は、マルチカラーモードが閉じられる操作がされたかを判断する（ステップＳ７６）。マルチカラーモードを閉じられる操作とは、例えば、ＰＩＣＴボタン３０の押下である。ＣＰＵ１４０は、マルチカラーモードが閉じられる操作がされていないと判断すると（ステップＳ７６ＮＯ）、ステップＳ５４に戻る。
【０１７８】
ＣＰＵ１４０は、マルチカラーモードが閉じられる操作がされたと判断すると（ステップＳ７６ＹＥＳ）。マルチカラーモードの最終の設定状態とコントロールバー２３０位置等を保存用メモリ８２に記憶して（ステップＳ７８）、マルチカラーモードを終了し、図２２のステップＳ４０に戻る。
【０１７９】
〈ピクチャーモードの画像処理〉
マルチカラーモード、モノクロクリエータ及びカラークリエータのそれぞれ画像処理を順番に説明する。
【０１８０】
図２９は、マルチカラーモードのマルチカラー処理の手順を示すフローチャートである。画像処理部１２０のマルチカラー処理部１２２が、主に以下のマルチカラー処理を実行する。ユーザは、マルチカラーモードを利用することで、多色の彩度を個別に調整し、自在な色作りをすることができる。
【０１８１】
マルチカラー処理部１２２は、保存用メモリ８２から、各色相の彩度値を取得する（ステップＳ２００）。各色相の彩度値とは、例えば、前回のマルチカラーモードで設定された値、あるいは未設定の場合には初期値（デフォルト値）で、保存用メモリ８２に記憶された彩度値である。
【０１８２】
マルチカラー処理部１２２は、各色相に対応するカウンタｎに１２を設定する（ステップＳ２０２）。１２は、カラーマップ２００で選択可能な色相の数で、図５と同様に１２色とする。
【０１８３】
カラーマップ２００で所定の調整がされたとする。マルチカラー処理部１２２は、カラーマップ２００で設定されたCOLOR（n）の彩度レベルを取得する（ステップＳ２０４）。COLOR（n）は、ｎ番目の色相を意味する。例えば、COLOR（１２）は、図５の１１時の色相である黄緑である。また、図５のカラーマップ２００で示したように彩度を８段階とすると、取得される彩度レベル＝−３、−２、−１、０、＋１、＋２、＋３、＋４のいずれかとなる。
【０１８４】
マルチカラー処理部１２２は、COLOR（n）の彩度値の補正処理を行う（ステップＳ２０６）。マルチカラー処理部１２２は、ステップＳ２０４で取得したCOLOR（n）の彩度レベルにより、ステップＳ２００で取得した彩度値を補正する。
【０１８５】
マルチカラー処理部１２２は、カウンタn←n−1に設定する（ステップＳ２０８）。補正する色相を切換えるためである。マルチカラー処理部１２２は、ｎ＞０であるかを判断する（ステップＳ２１０）。
【０１８６】
マルチカラー処理部１２２は、ｎ＞０であると判断すると（ステップＳ２１０ＹＥＳ）、ステップＳ２０４に戻る。マルチカラー処理部１２２は、全色の補正が終了するまで繰り返す。マルチカラー処理部１２２は、ｎ＞０でないと判断すると（ステップＳ２１０ＮＯ）、全色の補正が終了したとして、マルチカラー処理部１２２は、補正後の彩度による画像を生成し、生成された画像を出力する（ステップＳ２１２）。
【０１８７】
なお、マルチカラー処理の対象となる画像は、ライブビュー画像ＬＶあるいは再生画像いずれでもよい。また、ライブビュー画像ＬＶは、撮影中及びカラーマップ２００表示中常に表示される。また、ライブビュー画像ＬＶは、撮影が実行された場合には、画像ファイル化され、外部メモリ８４に記憶される。
【０１８８】
図３０は、モノクロクリエータモードのモノクロクリエータ処理の手順を示すフローチャートである。前述のように、モノクロクリエータモードは、レンズ部３にカラーフィルタを装着した場合と同様の画像を画像処理により生成するものである。画像処理部１２０のモノクロクリエータ処理部１２６が、主にモノクロクリエータ処理を実行する。
【０１８９】
モノクロクリエータ処理部１２６は、モノクロディスク４００で設定された情報を取得する（ステップＳ２２０）。モノクロクリエータ処理部１２６は、モノクロディスク４００で設定されたフィルタ色とフィルタ濃度の情報を取得する。設定されたフィルタ色を選択色と呼び、設定されたフィルタ色の補色を非選択色と呼ぶ。
【０１９０】
モノクロクリエータ処理部１２６は、モノクロ係数(モノクロ変換係数と呼ぶ)を算出する（ステップＳ２２２）。モノクロクリエータ処理部１２６は、取得した設定情報から、モノクロ変換係数を決定する。具体的には、モノクロクリエータ処理部１２６は、標準モノクロ係数に対して、選択色を大きくし、非選択色が小さくなるようにバランスをとった重み付けを行って、モノクロ係数を算出する。また、モノクロクリエータ処理部１２６は、設定されたフィルタ濃度によっても、重み付けを変えて、モノクロ係数を算出する。
【０１９１】
また、モノクロクリエータ処理部１２６は、フィルタ色やフィルタ濃度等の設定情報ごとに予め決められた係数を、保存用メモリ８２に格納されたテーブルを参照して取得し、取得した係数で標準モノクロ係数に重み付けをしてもよい。
【０１９２】
モノクロクリエータ処理部１２６は、撮像データから、ＷＢ（white balance）調整を行ったカラー画像データ（標準画像）を生成する（ステップＳ２２４）。モノクロクリエータ処理部１２６は、モノクロ係数に従って標準画像に重み付け演算をし、モノクロ画像化する（ステップＳ２２６）。モノクロクリエータ処理部１２６は、モノクロ画像を出力する（ステップＳ２２８）。
【０１９３】
モノクロクリエータ処理の対象となる画像は、ライブビュー画像ＬＶあるいは再生画像いずれでもよい。また、ライブビュー画像ＬＶは、撮影中及びモノクロディスク４００表示中常に表示される。また、ライブビュー画像ＬＶは、撮影が実行された場合には、画像ファイル化され、外部メモリ８４に記憶される。
【０１９４】
図３１は、カラークリエータモードのカラークリエータ処理の手順を示すフローチャートである。画像処理部１２０のカラークリエータ処理部１２４が、主にカラークリエータ処理を実行する。カラークリエータモードは、画像全体を指定した色味に強調し、かつ鮮やかさも調整できるモードである。
【０１９５】
カラークリエータ処理部１２４は、カラーディスク５００で設定された情報を取得する（ステップＳ２４０）。カラークリエータ処理部１２４は、カラーディスク５００で設定された色相と彩度の情報を取得する。
【０１９６】
カラークリエータ処理部１２４は、標準画像処理を行う（ステップＳ２４２）。カラークリエータ処理部１２４は、撮像データから、ＷＢ調整を行ったカラー画像データを生成
する。
【０１９７】
カラークリエータ処理部１２４は、色味補正処理を行う（ステップＳ２４４）。カラークリエータ処理部１２４は、設定された色相方向にＷＢを強調補正するが、ただし、色相の回転は行わない。また、カラークリエータ処理部１２４は、設定された彩度に従って彩度を増減する。つまり、カラークリエータ処理部１２４は、設定された色相方向に重みをおいて、設定された彩度に応じて全体の彩度を補正する。
【０１９８】
カラークリエータ処理部１２４は、色味補正処理した画像を生成し、出力する（ステップＳ２４６）。カラークリエータ処理の対象となる画像は、ライブビュー画像ＬＶあるいは再生画像いずれでもよい。また、ライブビュー画像ＬＶは、撮影中及びカラーディスク５００表示中常に表示される。また、ライブビュー画像ＬＶは、撮影が実行された場合には、画像ファイル化され、外部メモリ８４に記憶される。
【０１９９】
〈カラースケール表示〉
これまでは、画像調整画面として、色相と彩度あるいはフィルタ色とフィルタ濃度を極座標で表す例を説明したが、２次元表示としては極座標に限るものではない。図３２は、色相と彩度をＸＹの直交座標で表した画像調整画面を示す図である。図３２の画面Ｄ３０は、ライブビュー画像ＬＶ（不図示）にカラークリエータグラフ６００が重畳表示される画面である。カラークリエータグラフ６００は、カラークリエータモードの画像調整画面である。
【０２００】
カラークリエータグラフ６００は、カラーパレット６１０とモノクロパレット６２０から構成される。カラーパレット６１０は、カラーディスク５００に相当し、カラーパレット６１０の左右方向が色相に対応し、上下方向が彩度に対応する。モノクロパレット６２０は、図２０で説明した中立エリア５２０に相当するものである。
【０２０１】
カラーパレット６１０は、色相に対応して、水平方向に順番に着色表示される。例えば、左端から右方向に順番に、黄、黄橙、赤橙、赤、赤紫、紫、青紫、青、緑を含む青、青緑、緑、黄緑の１２色（Ｃ０、・・・、Ｃ１１）が表示される。なお、色相は、画面Ｄ３０のようにエリアで分割するのではなく、連続的に変化するよう表示されてもよい。
【０２０２】
そして、カラーパレット６１０上に、上下左右に移動可能なカーソル６３０が表示される。カーソル６３０の水平方向の位置で色相が設定され、カーソル６３０の上下位置で彩度が設定される。
【０２０３】
モノクロパレット６２０は、被写体の色バランスを変えずに、彩度だけを調整するためのエリアである。モノクロパレット６２０上でのカーソル６３０の上下位置によって、彩度が設定される。
【０２０４】
また、カーソル６３０の移動は、これまでと同様にフロントダイヤル２０とリアダイヤル２４の組で行ってもよいが、ＸＹ方向ボタン３３で直接行うようにしてもよい。
【０２０５】
図３２の画面Ｄ３１は、ライブビュー画像ＬＶ（不図示）にマルチカラーグラフ６５０が重畳表示される画面である。マルチカラーグラフ６５０は、マルチカラーの画像調整画面である。マルチカラーグラフ６５０には、カラーパレット６１０と同様に、色相に対応して、水平方向に順番に着色表示される（Ｃ０、・・・、Ｃ１１）。なお、色相は、エリアで分割されることなく連続的に変化するよう表示されてもよい。
【０２０６】
また、マルチカラーグラフ６５０では、上下が彩度に相当する。マルチカラーグラフ６５０上で、左右方向の位置で色相が指定され、上下位置で指定された色相の彩度が設定される。各色相で設定された彩度の位置にマーカ６８０が表示され、マーカ６８０同士が直線で接続される。また、破線の水平線で示されるニュートラルライン６８５は、彩度の初期値（デフォルト値）を示す線である。ニュートラルライン６８５は、図４で説明したニュートラルライン２２２と同等である。カーソル６７０を移動させて色相の指及び彩度の設定が行われる。カーソル６７０は、マーカ６８０より大きなサイズで表示される。
【０２０７】
また、カーソル６７０の移動操作は、これまでと同様にフロントダイヤル２０とリアダイヤル２４の組で行ってもよいが、ＸＹ方向ボタン３３で直接行うようにしてもよい。
【０２０８】
以上説明したＸＹ座標による画像調整画面でも、極座標による画像調整画面と同様に、ユーザは操作手順を直観的に把握できるので、画像調整の知識を特に有さないユーザでも容易に操作ができる。
【０２０９】
〈変形例〉
・作成したカラーマップ２００、モノクロディスク４００等の画像調整画面を、「お気に入り」として登録し、気に入った画像調整の条件を、簡単に呼び出せるようにしてもよい。
・制御プログラムを読込んだＣＰＵ１４０により実現される処理は、一部または全部をハードウェアによる処理に代えてもよい。
・上記実施形態では、指定可能な色相を１２色としたが、一例であって、色相数は任意である。
・また、画像調整装置を撮像装置に適用した例を説明したが、画像再生装置や画像処理装置（例えば、ＰＣ）に適用してもよい。
・また、カラーマップ２００、モノクロディスク４００、カラーディスク５００の３つの画像調整画面を選択的に表示する例を説明したが、画像調整装置は、３つの画像調整画面の１つまたは２つを表示するものであってもよい。
【０２１０】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０２１１】
１    撮像装置
２      本体
３      レンズ部
１０    背面モニタ
１２    電子ビューファインダ
２０    フロントダイヤル
２４    リアダイヤル
３０    ＰＩＣＴボタン
３２    ＩＮＦＯボタン
３３    ＸＹ方向ボタン
４０    ピクチャーモードダイヤル
８２    保存用メモリ
９０    表示部
１００  カメラ制御部
１０２  撮像制御部
１１０  表示制御部
１１２  カラーマップ作成部
１１４  カラーディスク作成部
１１６  モノクロディスク作成部
１２０    画像処理部
１２２  マルチカラー処理部
１２４  カラークリエータ処理部
１２６  モノクロクリエータ処理部
１３０    操作入力部
１４０    ＣＰＵ
２００    カラーマップ
２１０  色相環
２２０  下限枠
２２２  ニュートラルライン
２２４  上限枠
２３０  コントロールバー
２３２  段数マーク
２４０  彩度グラフ
２５０  ポイントマーク
４００    モノクロディスク
４１０  色相環
４２０  中立エリア
４３０  コントロールバー
４４０  濃度リング
５００    カラーディスク
５１０  色相環
５２０  中立エリア
５４０  カーソル
５５０  ニュートラルライン
６００    カラークリエータグラフ
６５０    マルチカラーグラフ
【図１】
2017092514.tif 000003
【図２】
2017092514.tif 000004
【図３】
2017092514.tif 000005
【図４】
2017092514.tif 000006
【図５】
2017092514.tif 000007
【図６】
2017092514.tif 000008
【図７】
2017092514.tif 000009
【図８】
2017092514.tif 000010
【図９】
2017092514.tif 000011
【図１０】
2017092514.tif 000012
【図１１】
2017092514.tif 000013
【図１２】
2017092514.tif 000014
【図１３】
2017092514.tif 000015
【図１４】
2017092514.tif 000016
【図１５】
2017092514.tif 000017
【図１６】
2017092514.tif 000018
【図１７】
2017092514.tif 000019
【図１８】
2017092514.tif 000020
【図１９】
2017092514.tif 000021
【図２０】
2017092514.tif 000022
【図２１】
2017092514.tif 000023
【図２２】
2017092514.tif 000024
【図２３】
2017092514.tif 000025
【図２４】
2017092514.tif 000026
【図２５】
2017092514.tif 000027
【図２６】
2017092514.tif 000028
【図２７】
2017092514.tif 000029
【図２８】
2017092514.tif 000030
【図２９】
2017092514.tif 000031
【図３０】
2017092514.tif 000032
【図３１】
2017092514.tif 000033
【図３２】
2017092514.tif 000034